(57)【特許請求の範囲】
【請求項１】
水抜き栓の外套管の上部に取り付けられ、前記水抜き栓の弁コマを上下に移動させる水抜き栓用レバーハンドル装置において、前記外套管の上部に取り付けられ、その周壁に開口を備えたケースと、該ケースに植設された回転軸の回りで、前記外套管の軸方向に延びる面内で回転可能に、前記ケースの前記開口に臨んで装着されたレバーハンドルと、前記ケース内で前記外套管の軸方向に移動可能に装着され、その下端部に前記弁駒が連結されるようになっている連結部材とを備え、前記連結部材には、有底の、前記外套管の軸方向に直交する方向に深さを有する凹所が形成され、さらに、前記凹所に該凹所の深さ方向に移動可能に収納されたスライドピンと、前記凹所内で前記凹所の底部と前記スライドピンとの間に配設された圧縮バネと、前記レバーハンドルに前記回転軸から偏心した位置で前記回転軸に平行な軸回りに回転可能に装着され、前記スライドピンの外側端部に当接するローラとを含んでなる、レバーハンドル装置。
【請求項２】
請求項１記載のレバーハンドル装置において、前記ローラは、前記連結部材の前記凹所内に進入可能である、レバーハンドル装置。
【請求項３】
請求項２記載のレバーハンドル装置において、前記凹所は、前記深さ方向及び前記外套管の軸方向に直交方向に延びて形成された溝を含んでなり、前記ローラは前記溝内に進入可能である、レバーハンドル装置。
【請求項４】
請求項１記載のレバーハンドル装置において、前記弁駒が下限の位置に移動したときに、前記レバーハンドルの背面が前記開口の上部の壁面外面に当接し、前記ローラが、前記開口の下側縁部に近接して位置し、前記開口は前記レバーハンドルと前記ローラにより実質的に閉鎖されている、レバーハンドル装置。
【請求項５】
請求項１記載のレバーハンドル装置において、前記弁駒が上限の位置に移動したときに、前記ローラが、前記開口の上側縁部に近接して位置し、前記レバーハンドルは斜め下方へ延び、前記開口の少なくとも前記連結部材の前記凹所に対応する範囲は、前記レバーハンドルと前記ローラにより実質的に閉鎖されている、レバーハンドル装置。
【発明の詳細な説明】
【０００１】
【産業上の利用分野】
本発明は、水道の水抜き栓用のレバーハンドル装置に関し、さらに詳細に言えば、水抜き栓を通水状態と止水・排水との間で切り換える機能を果たす弁駒を作動させ、かつ所定の位置に保持するためのレバーハンドル装置に関する。
【０００２】
【従来の技術】
水抜き栓の代表的なものとして寒冷地等で使用される不凍水抜き栓があり、必要に応じてこの水抜き栓を操作して、配管の立ち上がり部分等から排水して、凍結を防止する。このような水抜き栓の一つとして、例えば図９に示す如く、水抜き栓１００内に上下動可能に配置した弁駒（図示せず）を、外套管１０１の上部に設置したハンドル装置１０２によって、外套管１０１内を延びるスピンドル（図示せず）等を介して上下動させるようにしたものがある。
【０００３】
ところで、このような不凍水抜き栓は、寒期においては一日に何度も使用されるので、操作の容易性と安定性、及び装置の耐久性を要求される。他方、寒期以外では、通常長期間通水状態に維持されたままである。また、別荘等に設置された場合には、人が滞在していない期間等には長期間に渡って水抜き状態に維持されることがある。このように長期に渡って同じ状態に維持された場合、このハンドル装置内に塵埃等が進入し溜まると、後日にこれを操作しようとした場合に支障が生じる場合がある。
【０００４】
【発明が解決しようとする課題】
本願発明は、上記の点に鑑みなされたものであり、操作が容易で、その切り換え操作が安定的に行うことができ、しかも耐久性に優れ、且つ外部からの塵埃等により操作機能が損なわれることのない、水抜き栓用のレバーハンドル装置を提供することを目的とする。
【０００５】
【課題を解決するための手段】
上記課題を解決するために、本発明に係る水抜き栓用のレバーハンドル装置においては、水抜き栓の外套管の上部に取り付けられるケースと、該ケースに植設された回転軸の回りで、外套管の軸方向に延びる面内で回転可能に装着されたレバーハンドルと、ケース内で外套管の軸方向に移動可能に装着され、その下端部に水抜き栓の弁駒が連結されるようになっている連結部材とを備える。そして、連結部材には、有底の、外套管の軸方向に直交する方向に深さを有する凹所が形成する。装置はさらに、この凹所に該凹所の深さ方向に移動可能に収納されたスライドピンと、該凹所内で該凹所の底部とスライドピンとの間に配設された圧縮バネと、レバーハンドルにその回転軸から偏心した位置でこの回転軸に平行な軸回りに回転可能に装着され、スライドピンの外側端部に当接するローラとを備えている。
【０００６】
【実施の形態】
以下、図面に基づき本願発明の具体的実施の形態を説明するが、本願発明の範囲は以下に説明される実施の形態に限定されるのではない。
【０００７】
図１は、本発明の一実施例に係る水抜き栓用レバーハンドル装置１の中央縦断面図であり、図示しない水抜き栓の弁駒が下限位置に、即ち第１の位置にある状態を示し、図３は同じく弁駒がその上限位置、即ち第２の位置にある状態を、そして図２は、第１と第２の位置との間の中間切り換え点にある状態を示す、断面図である。
【０００８】
レバーハンドル装置１は、水抜き栓の外套管の上部に取り付けられるケース３を備え、このケース３は、その下端近傍に形成された円周方向溝５に装着されるリング７、及びこのリング７により抜け止めされる袋ナット９によって、外套管の上端に固定される。
【０００９】
図４はケース３の正面図であり、図５は図４の５−５線に沿って取られた断面図である。ケース３は大略円筒形をしており、下端は開き、上端は閉じて、内部に後述の連結部材としてのジョイント５１を収納する空所１１を形成している。その略円筒状の側壁１３には、このケース３の軸方向に長辺を有する長方形の開口１５が開いている。そしてこの開口１５の長辺に沿って上下方向に延び、互いに対向する形で側壁１３から外側方へ延びる開口壁１７、１９が設けられている。この開口壁１７、１９の内側面１８、２０は、そのまま空所１１内へと延びて、側壁１３の内周面１４と交差している。また、これら開口壁１７、１９には後述のレバーハンドル３１の回転軸が挿入される軸孔２１、２３がそれぞれ形成されている。
【００１０】
符号３１はレバーハンドルであり、前述のケース３の開口壁１７、１９に形成された軸孔２１、２３により支承される軸２９が、その本体部３２に形成された軸孔３３に挿通されることにより、ケース３の開口１５に臨んで回動自在にケース３に取り付けられる。レバーハンドル３１の本体部３２の厚みはケース３の開口１５の幅より僅かに小さい寸法であり、取り付けた状態では両者の間に殆ど隙間は生じないが、一方の端部に設けられた握り部３５は本体部３２より若干厚くなっている。
【００１１】
符号３７は、握り部３５とは反対側の端部に、略円形の形に作られたローラ取付け部３７であり、図示の如く、本体部３２より肉が薄くなっている。このローラ取付け部３７の中心部には軸孔３９が明いており、この軸受け孔３９にはローラ支持ピン４１が両側に突出した形で挿通され、その突出した部分にローラ４３、４５が装着される。即ち図６に示されるように、ローラ４３、４５はローラ取付け部３７の両側に配置され、その状態でケース３の開口壁１７、１９の間に配置される。二個のローラ４３、４５とローラ取付け部３５の厚みの合計は開口１５の幅より僅かに小さく、ケース３にこれらを取り付けた状態では、ケース３の開口１５との間に殆ど隙間は生じない。なお、ローラ４３、４５は同一の寸法であり、その外径は、ローラ取り付け部３７の径より若干大きい。但し、図においては、その差を誇張して示してある。
【００１２】
符号５１は水抜き栓の弁駒に連結される連結部材としてのジョイントであり、図７及び８にその正面図及び部分断面側面図が示されている。このジョイント５１は略円柱状の本体部５３と、その下方に設けられた、弁駒に接続されるスピンドル等が結合されるジョイント部５５が形成されている。本体部５３の中央よりやや上部に、前述のレバーハンドル３１に取り付けられるローラ４３、４５の径より若干大きい高さを有する溝５７が、ジョイント５１の軸方向に直交する方向に延びて形成されている。そしてさらに、その溝の底部中央に、後述のバネ７１を収受するための有底の穴５９が形成されている。また、ジョイント５１の本体部５３の正面部には、溝の上下に径方向に突出した突出部６１、６３が形成され、その幅は、ケース３の開口壁１７、１９の内側面１８、２０の間の寸法に対応している。突出部６１、６３の溝５７に隣接する部分は図示のとおり面取りがされており、ローラー４３、４５の出入りをスムーズにするようになっている。
【００１３】
ジョイント５１の穴５９の中には圧縮バネ７１が収受され、さらに後端部に鍔７５を備えたスライドピン７３が収受されている。バネ７１は穴５９とスライドピン７３の鍔７５の間に配設されるので、常にスライドピン７３に対し、穴５９から押し出す方向の力を作用させている。
【００１４】
図１は弁駒が下限位置たる第１の位置にある状態を示しており、この状態においてはレバーハンドル３１は、スライドピン７３を介してバネ７１から、軸２９に関して反時計回りの力を受けており、レバーハンドル３１の本体部３２の背面が、ケース３の開口１５の上部壁２４の外面に当接して、位置決めされている。この時図１に示されるように、ローラ４３、４５は開口１５の下方縁部に近接して位置しており、他方、レバーハンドル３１の本体部３２の幅、ローラ４３、４５とローラ取付け部３７の厚みの合計は前述の如く開口１５の幅に略等しいので、この状態では開口１５がこれらの部材により閉じられた状態となっており、長期にこの状態に保持されても、内部に塵埃が入ることがなく、後の操作に際してローラ４３、４５、ジョイント５１、スライドピン７３等の作動に支障が生じることはない。
【００１５】
弁駒を上限位置即ち第２の位置に移動させる場合には、図１においてレバーハンドル３１をバネ７１の力に抗して時計方向に回転させる。それにつれてローラ４３、４５はジョイント５１の溝５７の内部へ進入し、スライドピン７３を介してバネ７１を圧縮する。それと同時にローラ４３、４５は溝５７の上側側面に当接し、ジョイント５１を上方へ持ち上げる。
【００１６】
図２は丁度中間位置まで回転した状態を示し、ローラ４３、４５が最奥位置に達し、バネ７１は最大の圧縮状態にある。この位置を通過すると、バネ７１の力はレバーハンドル３１を図において時計方向に回転させようと作用し、図３の状態に達する。図３においては、ジョイント５１の上面がケース３の天壁の内面に当接し、位置決めされる。なお、この状態において、ローラ４３、４５は開口１５の上部壁２４の下側縁部に隣接して位置し、レバーハンドル３１の本体部３２が斜め下方へ延び、開口の下側部分の大部分を覆っているので、この状態に長期間維持されても、塵埃等の進入は少ない。特に、ジョイント５１の溝５７或いは穴５９の中への塵埃の進入は阻止され、ローラ４３、４５によるスライドピン７３の移動、或いはローラ４３、４５と溝５７との接触に悪影響を及ぼすことはない。
【００１７】
なお、スライドピン７３に直接当接するのは、レバーハンドル３１に回転自在に装着されたローラ４３、４５であるので、レバーハンドルを作動させたときにローラ４３、４５とスライドピン７３との間には滑り等の相対運動は生じない。また、ローラ４３、４５とジョイント５１との接触においては僅かながらの滑りが生じるが、両者間の接触は線接触となってきわめて滑らかである。また、ローラ４３、４５からは、常にジョイント５１に対しその移動方向である軸方向の力が作用し、ジョイント５１の上下動がきわめて滑らかに行われる。しかも、ローラ４３、４５がジョイント５１に形成された溝５７の中へ入っているので、ジョイントの中心に近い位置でジョイントに力を作用させることができ、なおさらジョイントの移動には好都合である。
【００１８】
【発明の効果】
以上説明したように、本発明においてはレバーハンドルを時計方向或いは反時計方向に回転させる簡単な操作で水抜き栓の操作が行え、中立点を越えるとバネによる付勢力が作用し、一方の位置に安定的に保持される。また、ローラを使用したので、その切り換えに際しては、その動作は滑らかで安定的である。また、操作に際してローラは回転しないので、磨耗等は最小限のものとなる。さらに、ジョイントにも無用な力が作用しないので、耐久性に優れており、ジョイントの移動もスムースに行われる。さらにまた、ケース内への塵埃等の進入が阻止され、その機能に支障を来すことがない。
【図面の簡単な説明】
【図１】本発明の一実施の形態にかかる装置の第１の状態を示す縦断面図である。
【図２】第１と第２の中間位置の状態を示す縦断面図である。
【図３】第２の状態を示す縦断面図である。
【図４】ケースの正面図である。
【図５】ケースの縦断面図である。
【図６】レバーハンドルとローラとの位置関係を示す側面図である。
【図７】ジョイントの正面図である。
【図８】ジョイントの部分断面側面図である。
【図９】ハンドル装置を装着した状態の水抜き栓を示す側面図である。
【符号の説明】
１  レバーハンドル装置
３  ケース
１１  空所
１３  側壁
１５  開口
１７、１９  開口壁
２４  上部壁
３１  レバーハンドル
３２  本体部
３７  ローラ取付け部
４３、４５  ローラ
５１  ジョイント
５３  本体部
５７  溝
５９  穴
７１  バネ
７３  スライドピン
【図１】
0003697314.tif 000002
【図２】
0003697314.tif 000003
【図３】
0003697314.tif 000004
【図４】
0003697314.tif 000005
【図５】
0003697314.tif 000006
【図６】
0003697314.tif 000007
【図７】
0003697314.tif 000008
【図８】
0003697314.tif 000009
【図９】
0003697314.tif 000010